(57)【要約】      （修正有）【課題】排列が容易であり、且つ、１種類で多様な患者に適用できる人工歯セットを提供する。【解決手段】人工歯セットにおいて、隣接し合う人工前歯１，３の少なくともいずれかは、他方に対して当接線Ｌを形成するように線接触し、且つ、線接触する位置を連続的に移動できる、円柱面、楕円柱面および円錐面の少なくともいずれかによって構成された当接面７，８，９，１０を有する。さらに、当接面は、前記人工前歯の基底面近傍まで延伸して形成されている。【選択図】図２
2010162330.tif 000002
【特許請求の範囲】
【請求項１】
隣接し合う人工前歯の少なくともいずれかは、他方に対して線接触し、且つ、前記線接触する位置を連続的に移動できる当接面を有することを特徴とする人工歯セット。
【請求項２】
前記当接面は、円柱面、楕円柱面および円錐面の少なくともいずれかによって構成されていることを特徴とする請求項１に記載の人工歯セット。
【請求項３】
前記当接面は、前記人工前歯の基底面近傍まで延伸して形成されていることを特徴とする請求項１または２に記載の人工歯セット。
【請求項４】
前記当接面は、前記人工前歯の切端から離れて形成されていることを特徴とする請求項１から３のいずれかに記載の人工歯セット。
【請求項５】
前記当接面は、前記人工前歯の唇側面から舌側面まで延伸することを特徴とする請求項１から４のいずれかに記載の人工歯セット。
【発明の詳細な説明】
【技術分野】
【０００１】
本発明は、人工歯セットに関する。
【背景技術】
【０００２】
従来、歯科用補綴物（有床義歯）を製作するための人工歯は、その形状を天然歯に近づけることを重要視して設計されてきた。天然歯は、唇側から見ると、図２２に示すように、歯頚部に向かって幅が狭くなっており、隣接し合う歯同士が、切端寄りの一点でのみ接触する。
【０００３】
歯科用補綴物を製作する際、歯科技工士は、各人工歯を、その長軸（歯軸）が傾かないように注意しながら、長軸周りの角度を定め、隣接する人工歯に接触させるように排列することが必要であり、高度な技術と経験とが要求される。人工歯の排列を簡単にするために、例えば、特許文献１には、人工歯同士を連結する発明が開示されている。
【０００４】
また、患者の顎堤の形状は個人差が大きく、例えば、その歯列弓の幅径は、標準的なものから±６ｍｍ程度のばらつきがある。従来、幅径の異なる複数種類の人工歯セットが提供されており、歯科技工士は、患者の幅径に最も近い人工歯セットを選択して使用している。
【０００５】
さらに、患者の歯の形状にも個人差があり、幅広の印象や長軸方向に長い印象を与えるもの、或いは、丸形や角形といった印象を与えるものがある。このため、幅径だけでなく、審美的な形状の異なる多種類の人工歯セットが提供されている。
【０００６】
このように、歯科技工士は、多種多様な人工歯セットの中から患者に最も適した人工歯セットを選択しなければならない。また、多くの種類の人工歯セットを提供することは、それぞれの人工歯セットが割高になるという結果を招いている。
【先行技術文献】
【特許文献】
【０００７】
【特許文献１】特開平６−２６１９１７号公報
【発明の概要】
【発明が解決しようとする課題】
【０００８】
前記問題点に鑑みて、本発明は、排列が容易であり、且つ、１種類で多様な患者に適用できる人工歯セットを提供することを課題とする。
【課題を解決するための手段】
【０００９】
前記課題を解決するために、本発明による人工歯セットは、隣接し合う人工前歯の少なくともいずれかは、他方に対して線接触し、且つ、前記線接触する位置を連続的に移動できる当接面を有するものとする。
【００１０】
この構成によれば、隣接し合う人工前歯が線接触することによって、互いの歯軸の向きを定めるので、歯科技工士は、人工前歯の歯軸の傾斜を気にせず、人工前歯を排列できる。また、一方の人工前歯の接触位置をずらすことによって、歯列弓の曲率を変化させて幅径を調整することができる。
【００１１】
また、本発明の人工歯セットにおいて、前記当接面は、円柱面、楕円柱面および円錐面の少なくともいずれかによって構成されていてもよい。
【００１２】
この構成によれば、簡単な形状で、位置をずらしても有効な長さの線接触ができる。
【００１３】
また、本発明の人工歯セットにおいて、前記当接面は、前記人工前歯の基底面近傍まで延伸して形成されていてもよい。
【００１４】
この構成によれば、有床義歯において、歯間乳頭によって隠される部分に当接面が延伸するので、隣接歯同士の接触長を長くして排列性を高めても、外観が天然歯と大きく異なる印象にならない。
【００１５】
また、本発明の人工歯セットにおいて、前記当接面は、前記人工前歯の切端から離れて形成されていてもよい。
【００１６】
この構成によれば、人工前歯の切端近傍の近心遠心方向両側の形状は、審美的な印象に大きな影響を及ぼすので、切端から離れた位置に当接面を形成することで、人工前歯の自然な外観と、高い排列性とを両立できる。
【００１７】
また、本発明の人工歯セットにおいて、前記当接面は、前記人工前歯の唇側面から舌側面まで延伸してもよい。
【００１８】
この構成によれば、隣接する人工前歯の可能な相対角度範囲が大きく、歯列弓の幅径の調整可能範囲が広い。
【発明の効果】
【００１９】
本発明によれば、隣接し合う人工前歯線接触するので、隣接した人工歯同士が互いに歯軸を定め合い、隣接し合う人工歯の接触位置をずらして相対角度を調整することができるので、歯列弓の幅径が調整できる。
【図面の簡単な説明】
【００２０】
【図１】本発明の第１実施形態の人工歯セットの唇側より見た図である。
【図２】図１の人工歯セットの右中切歯と右側切歯との斜視図である。
【図３】右中切歯と右側切歯との基底面側から見た図である。
【図４】図３の右側切歯を右中切歯に沿って回動した図である。
【図５】図３の右側切歯を自転させた図である。
【図６】図３の右側切歯を右中切歯に沿って平行移動した図である。
【図７】図１の人工歯セットの歯列弓を示す図である。
【図８】図７の遠心側の人工前歯を近心側の人工前歯に対して転動させて幅径を小さくした状態を示す図である。
【図９】図７の遠心側の人工前歯を近心側の人工前歯に対して転動させて幅径を大きくした状態を示す図である。
【図１０】図７の遠心側の人工前歯を近心側の人工前歯に沿って平行移動させて幅径を小さくした状態を示す図である。
【図１１】図７の遠心側の人工前歯を近心側の人工前歯に沿って平行移動させて幅径を大きくした状態を示す図である。
【図１２】本発明の第２実施形態の人工歯セットの右中切歯と右側切歯との基底面側から見た図である。
【図１３】図１２の右中切歯と右側切歯との当接面を構成する楕円中面の概略図である。
【図１４】本発明の当接面を構成する円錐面の対の概略図である。
【図１５】図１４の円錐面の対の平面図である。
【図１６】曲率を途中で変化させた円錐面の対の平面図である。
【図１７】楕円形の底面を有するように、曲率を連続的に変化させた円錐面の対の平面図である。
【図１８】部分的に曲率を無限大にした円錐面の対の平面図である。
【図１９】本発明の当接面を構成する自由曲線の回転体の対の概略図。
【図２０】中切歯を異なる形状に交換した図１の人工歯セットの唇側より見た図である。
【図２１】中切歯を更に異なる形状に交換した図１の人工歯セットの唇側より見た図である。
【図２２】従来の人工歯セットの唇側より見た図である。
【発明を実施するための形態】
【００２１】
これより、本発明の実施形態について、図面を参照しながら説明する。図１に、本発明の第１実施形態の人工歯セットを示す。本実施形態は、上顎左右の中切歯１，２、側切歯３，４および犬歯５，６からなる人工上顎前歯セットである。
【００２２】
本実施形態の各人工前歯１，２，３，４，５，６に共通する特徴的形状について、図２に代表して示す人工右中切歯１および人工右側切歯３を参照しながら説明する。人工前歯１，３は、それぞれ、近心遠心方向の両側に、歯軸に平行な円柱面の一部によって構成された当接面７，８および９，１０を有する。人工中切歯１の当接面８と人工側切歯３の当接面９とは、互いに線接触して、歯軸に平行に延伸する当接線Ｌを形成する。
【００２３】
当接面７，８，９，１０は、それぞれ、人工前歯１，３の切端１１，１２から離れた位置から、基底面（上端面）１３，１４まで延伸している。また、当接面７，８，９，１０は、それぞれ、人工前歯１，３の唇側面から舌側面まで延伸している。
【００２４】
図３に示すように、人工側切歯３は、人工中切歯１の当接面８の任意の位置に当接面９を当接させることができる。つまり、人工側切歯３は、歯軸方向に一定の長さの当接線Ｌを形成しながら、人工中切歯１の当接面８を構成する円柱面の中心軸Ｃ１を中心に回動できる。
【００２５】
また、人工中切歯１も、人工側切歯３の当接面９を構成する円柱面の中心軸Ｃ２を中心に回動できる。この動きを、人工中切歯１を固定して見ると、図４に示すように、人工側切歯３が、自身の当接面９を構成する円柱面の中心軸Ｃ２を中心にして回動すると考えることができる。
【００２６】
人工側切歯３の図３に示した移動と図４に示した移動とは、組み合わせ可能である。例えば、図５に示すように、人工側切歯３を、その当接面９を人工中切歯１の当接面８に当接させながら、歯軸周りの角度を変化させないようにその姿勢を保ったまま平行移動させることができる。また、人工側切歯３の当接面９を、人工中切歯１の当接面８の上で滑りを生じないように転動させることもできる。
【００２７】
図６に、本実施形態の人工歯セットの設計上の歯列弓に沿った排列を示す。この状態において、本人工歯セットは、左右人工犬歯５，６の両端間の幅Ｗが、成人の左右犬歯両端間の距離の平均値である約５１ｍｍになっている。成人の左右犬歯両端間の距離は、略４５ｍｍから６７ｍｍの間で個人差があり、この標準状態から±６ｍｍ程度のばらつきがある。本実施形態の人工歯セットでは、隣接し合う人工前歯の遠心側の人工前歯の近心側の当接面を近心側の人工前歯の遠心側の当接面上で転動させることで、図７に示すように、歯列弓の幅径を拡げて、左右人工犬歯５，６の両端間の幅Ｗを６ｍｍ以上大きくすることも、図８に示すように、歯列弓の幅径を狭めて、左右人工犬歯５，６の両端間の幅Ｗを約６ｍｍ以上縮めることもできる。つまり、本実施形態の人工歯セットは、左右人工犬歯５，６の両端間の幅Ｗを任意の大きさに設定して、殆どの患者の顎堤形状に適合させることができる。
【００２８】
また、本実施形態の人工歯セットでは、隣接し合う人工前歯の遠心側の人工前歯を、互いの当接面を当接させながら平行移動することで、図９に示すように、歯列弓の幅径を６ｍｍ以上拡げることも、図１０に示すように、歯列弓の幅径を６ｍｍ以上縮めることもできる。
【００２９】
本実施形態の人工前歯だけを見ると、当接面７，８，９，１０が基底面近傍まで延伸する形状が、天然歯と大きく異なり、不自然な印象を与えるようにも思える。しかしながら、有床義歯においては、図１１に示すように、当接面の基底面側の部分は、義歯床１５に形成する歯間乳頭１６によって覆われるため、外観上、天然歯との違いが大きく感じられることはない。
【００３０】
したがって、本発明による当接面は、できるだけ基底面の近くまで延伸して、人工歯の高さの３０％以上、好ましくは６０％以上の長い接触線を形成することにより、隣接し合う人工前歯が支え合って互いの歯軸の傾斜を防止し合うようにすることが望ましい。本実施形態では、基底面と当接面との境界に僅かな面取りが施されている程度であり、実質的に当接面が基底面まで延伸していると言える。
【００３１】
また、本発明では、人工前歯の審美的な印象を天然歯に近づけるために、前歯の印象を決定づける切端近傍の形状を自由にデザイン可能とするため、当接面を切端から、歯軸方向に、人工前歯の高さの少なくとも５％以上離れた位置から形成している。これにより、人工前歯の切端の近心遠心方向両側の形状を自由に設計して、丸い印象を与えることや、四角い印象を与えることもできる。
【００３２】
図１２に、本発明の第２実施形態の人工歯セットの人工中切歯１ａと人工側切歯３ａとを示す。本実施形態の人工歯１ａ，３ａは、楕円柱面によって構成された当接面７ａ，８ａ，９ａ，１０ａを有する。図１３に示すように、互いに平行な楕円柱同士も、両者の任意の外周位置において、中心軸に平行、且つ、両者の高さに等しい長さを有する当接線Ｌを形成するように線接触する。つまり、楕円柱面によって構成された当接面７ａ，８ａ，９ａ，１０ａを有する人工歯１ａ，３ａは、互いの当接面に沿って移動または転動することが可能である。
【００３３】
また、図１２に示した人工側切歯３ａでは、当接面９ａ，１０ａを構成する楕円柱面の曲率が途中で変化している。このように、本発明において、当接面を構成する円柱面や楕円柱面は、その曲率を途中で変更してもよい。また、楕円柱面は、その曲率を連続的に変化させた円柱面の集合と考えることもできる。さらに、円柱面の曲率を無限大とすることで平面を構成したり、円柱面の曲率をゼロにすることで角を形成したりすることもできる。つまり、本発明の当接面は、断面形状が一定な柱状体の外周面の少なくとも一部によって構成されていればよく、柱状体の断面形状がいかなる形状であってもよい。
【００３４】
さらに、本発明の当接面は、図１４に示すように、歯軸に平行な中心軸Ｃ１，Ｃ２を有する円錐面１７，１８で構成することもできる。図示するように、互いに線接触して一定長の当接線Ｌを形成する２つの円錐面１７，１８は、その面が互いに相補的に傾斜している。
【００３５】
図１５に、図１４の円錐面１７，１８を歯軸方向上側から見た様子を示す。図示するように、２つの円錐面１７，１８は、両者の任意の外周位置において、上底面のエッジと下底面のエッジとがそれぞれ当接し、それらを結ぶ直線状の当接線Ｌが形成されることが分かる。
【００３６】
本発明によれば、図１６示すように、円錐面１７，１８の曲率を途中で変更することができる。また、図１７に示すように、曲率が連続的に変化する円錐面１７，１８からなり、底面が楕円形の傾斜角度が一定なテーパ状の曲面によって人工前歯の当接面を構成したり、図１８に示すように、傾斜角度が一定な円錐面と平面（曲率が無限大の円錐）とを組み合わせた曲面によって人工前歯の当接面を構成してもよい。
【００３７】
さらに、本発明によれば、図１９に示すように、自由曲線からなる当接線Ｌを歯軸に平行な中心軸の周りに回転させた回転体面によって、人工歯の当接面を形成してもよい。この場合も、曲率を自由に変化させることが可能であることは言うまでもない。
【００３８】
但し、幾何学的な原則として、互いに当接し合う２つの曲面は、当接する位置において２つの曲面の法線が必ず一致する。一方の曲面を他方の曲面上で滑り移動させる場合、滑り移動可能な方向は、当接している点の法線に直交する方向である。このため、当接線Ｌ上の全ての点における法線が、当接線Ｌの回転方向に垂直でなければならない。本発明では、人工前歯を隣接する人工前歯に沿って歯軸に直交する方向に滑り移動させて歯列弓の幅径を調整可能とする必要があるが、当接線Ｌが中心軸Ｃ１，Ｃ２周りの角度が異なる点を含んでいると、曲率無限大でしか当接線Ｌを回転し得ないので、本発明の目的を達成し得ない。したがって、本発明における当接線Ｌは、中心軸Ｃ１，Ｃ２を含む平面に包含される線でなくてはならない。
【００３９】
また、本発明によれば、さらに、審美的印象の異なる歯科用補綴物を提供するために、例えば、図２０および図２１に示すように、上顎中切歯１，２のみを、形状の異なるものと交換すればよい。口腔において、歯の審美的印象は、２本の上顎中切歯によって殆ど決定付けられるからである。
【００４０】
したがって、本発明によれば、当接面を有する１種類の人工歯セットと、同様の当接面を有する交換可能な上顎中切歯とを提供するだけで、殆ど全ての患者の顎堤の形状に適合する歯列弓を形成することができ、且つ、患者に相応しい審美的印象を有する歯科用補綴物を製作可能とする。
【００４１】
当然ながら、本発明は、人工下顎前歯についても適用でき、さらに、奥歯を含む人工歯セットを提供してもよい。
【符号の説明】
【００４２】
１…人工上顎右中切歯
２…人工上顎左中切歯
３…人工上顎右側切歯
４…人工上顎左側切歯
５…人工上顎右犬歯
６…人工上顎左犬歯
７，８，９，１０…当接面
１１，１２…切端
１３，１４…基底面
１５…義歯床
１６…歯間乳頭
１７，１８…円錐面
１９，２０…回転体
【図１】
2010162330.tif 000003
【図２】
2010162330.tif 000004
【図３】
2010162330.tif 000005
【図４】
2010162330.tif 000006
【図５】
2010162330.tif 000007
【図６】
2010162330.tif 000008
【図７】
2010162330.tif 000009
【図８】
2010162330.tif 000010
【図９】
2010162330.tif 000011
【図１０】
2010162330.tif 000012
【図１１】
2010162330.tif 000013
【図１２】
2010162330.tif 000014
【図１３】
2010162330.tif 000015
【図１４】
2010162330.tif 000016
【図１５】
2010162330.tif 000017
【図１６】
2010162330.tif 000018
【図１７】
2010162330.tif 000019
【図１８】
2010162330.tif 000020
【図１９】
2010162330.tif 000021
【図２０】
2010162330.tif 000022
【図２１】
2010162330.tif 000023
【図２２】
2010162330.tif 000024